(57)【特許請求の範囲】
【請求項１】
被検体の体表面から前記被検体の内部の血管の長軸方向に沿った複数のポイントに向けて超音波パルスを発信する送信部と、
前記複数のポイントから反射された超音波エコー信号を受信する受信部と、
前記超音波エコー信号から、前記複数のポイントにおける前記血管の前壁および後壁それぞれにおける、血流領域と内膜との境界位置、および、中膜と外膜との境界位置を検出する境界位置検出部と、
前記境界位置検出部で検出された境界位置に基づいて、前記血管のＩＭＴ値を算出するＩＭＴ値算出部と、
前記複数のポイントにおいて検出された境界位置の、血管の長軸方向の特徴量から、前記境界位置検出部で検出された境界位置の信頼性を判定する信頼性判定部と、
を備える超音波診断装置。
【請求項２】
前記信頼性判定部の判定結果に基づく報知を行う報知手段を備える請求項１に記載の超音波診断装置。
【請求項３】
前記超音波エコー信号の位相情報を処理し、位相情報処理結果のうち少なくとも一つを前記境界位置検出部へ送出する位相情報処理部と、
前記超音波エコー信号の振幅情報を処理し、振幅情報処理結果のうち少なくとも一つを前記境界位置検出部へ送出する振幅情報処理部と、
を備え、
前記境界位置検出部は、前記位相情報処理結果のうち少なくとも一つと、前記振幅情報処理結果のうち少なくとも一つとから、前記複数のポイントにおける前記血管の前壁および後壁それぞれにおける、血流領域と内膜との境界位置、および、中膜と外膜との境界位置を検出する請求項１または２に記載の超音波診断装置。
【請求項４】
前記位相情報処理結果のうちの一つである生体組織の移動速度、および、前記振幅情報処理結果のうちの一つである超音波エコー信号の強度の少なくとも一方を用いて前記血管の血液が流れる血流領域を検出し、前記血管の体表面に近い前壁および体表面から遠い後壁のそれぞれについて、血流領域と内膜との境界位置、および、中膜と外膜との境界位置を検出するために必要な関心領域を設定する関心領域設定部を備える請求項３に記載の超音波診断装置。
【請求項５】
前記特徴量が、前記境界位置の平均値および標準偏差、または、平均値および分散である請求項１ないし４のいずれか一項に記載の超音波診断装置。
【請求項６】
前記特徴量が、前記境界位置を血管の長軸方向の関数とみなして推定された近似関数と前記境界位置との不一致度である請求項1ないし４のいずれか一項に記載の超音波診断装置。
【請求項７】
前記近似関数が、線形関数である請求項６に記載の超音波診断装置。
【請求項８】
前記近似関数が、１次関数である請求項７に記載の超音波診断装置。
【請求項９】
前記近似関数が、多項式関数である請求項７に記載の超音波診断装置。
【請求項１０】
前記近似関数を推定する際の近似方法が、線形最小２乗法である請求項６ないし９のいずれか一項に記載の超音波診断装置。
【請求項１１】
前記近似関数を推定する際の近似方法が、非線形最小２乗法である請求項６ないし９のいずれか一項に記載の超音波診断装置。
【請求項１２】
前記近似関数が、非線形関数である請求項６に記載の超音波診断装置。
【請求項１３】
前記近似関数を推定する際の近似方法が、非線形最小２乗法である請求項６または１２に記載の超音波診断装置。
【発明の詳細な説明】
【技術分野】
【０００１】
本発明は、血管の状態を超音波によって診断する超音波診断装置に関するものである。
【背景技術】
【０００２】
動脈硬化の診断は、血管の内膜中膜複合体厚(Intima-Media Thickness、以下IMT)を測定することによって行われる。ここで、頚動脈は他の部位と比較してIMT値が動脈硬化の初期段階から大きくなり、動脈硬化の発見に有効であることが知られている他、頚動脈は皮膚表面から２〜３cmと比較的浅い深さに位置するため、動脈硬化の診断には頚動脈が良く測定対象とされる。
【０００３】
従来、超音波によって頚動脈の血管壁のIMT値を測定する方法として、標準的な血管構造を有していることを前提として、血管によって反射された超音波に基づくB-mode画像データにおける輝度信号の最大ピーク値と第２ピーク値とに基づいて、血管壁のIMT値を測定する方法が知られている(例えば、特許文献１参照)。
【０００４】
しかし、この方法では、エコー強度を利用しているために、測定対象となる血管壁の内膜輝度が低い場合や、輝度情報がノイズを多く含む場合には、血流−内膜境界位置や中膜−外膜境界位置を正確に検出できず、正確な血管壁のIMT値を計測することができないという問題点があった。
【０００５】
又、測定対象となる血管壁の構造が正常状態にあることが前提条件となっているため、測定対象となる血管内にアテロームのような局所病変が存在していると、前記境界位置を正確に計測することができないという問題点があった。
【０００６】
この問題点を回避可能な手法として、超音波エコー信号の位相変化から算出した組織の硬さに基づいて血流−内膜境界位置や中膜の位置を検出し、血管壁のIMT値を計測する方法が提案されている（例えば下記の特許文献２参照）。
【０００７】
これら前記従来の超音波診断装置において血管に平行な断面を観測した場合、1本の血管に対して被験体の皮膚表面に近い側と遠い側の２つの血管壁が描出される。一般に、超音波プローブに近い皮膚表面側の血管壁(以下、前壁)からのエコーデータは、超音波の多重反射等の影響を受けやすく、得られるB-mode画像は輪郭が不鮮明になりやすい。そのため、皮膚表面から遠い血管壁（以下、後壁）のIMT値を測定対象にする場合が多い。
【０００８】
しかし、測定条件によっては前壁の血管壁を測定対象とした方がよい場合もあるため、操作者は、B-mode画像から、測定対象を前壁にするか後壁にするかを判断し、適切な関心領域をマウス等によって設定する必要があった。このような判断や操作は面倒である他、定期健康診断のような多数の被検体を対象にして診断を行うような場合には総合診断時間を延伸させる原因となっていた。
【０００９】
又、IMT値測定対象として選択した血管壁の近傍にB-mode画像では明確に判断できないプラークやノイズが存在する場合などは、前記血管の血流―内膜、中膜−外膜境界を正確に検出できず、誤ったIMT値を測定してしまうことになる。これを解決する方法として、設定する関心領域を前壁と後壁の両方が含まれるように設定し、前壁と後壁それぞれのIMT値を測定する方法が提案されている(例えば、特許文献３)。
【００１０】
【特許文献１】特開平１１−３１８８９６号公報
【特許文献２】国際公開第２００４／１１２５６８号パンフレット
【特許文献３】特開２００４−３５７８９２号公報
【発明の開示】
【発明が解決しようとする課題】
【００１１】
しかし、前記従来の方法においても操作者が未熟で超音波プローブの当て方が不適切な場合等は前記血管の血流―内膜、中膜外膜境界の正しい位置を検出していないことになり、誤診につながる恐れがある。
【００１２】
本発明は、上記従来の事情に鑑みてなされたものであって、正確で信頼性のあるＩＭＴ値の測定が可能な超音波診断装置を提供することを目的とする。
【課題を解決するための手段】
【００１３】
本発明に係る超音波診断装置は、被検体の体表面から前記被検体の内部の血管の長軸方向に沿った複数のポイントに向けて超音波パルスを発信する送信部と、前記複数のポイントから反射された超音波エコー信号を受信する受信部と、前記超音波エコー信号から、前記複数のポイントにおける前記血管の前壁および後壁それぞれにおける、血流領域と内膜との境界位置、および、中膜と外膜との境界位置を検出する境界位置検出部と、前記境界位置検出部で検出された境界位置に基づいて、前記血管のＩＭＴ値を算出するＩＭＴ値算出部と、前記複数のポイントにおいて検出された境界位置の、血管の長軸方向の特徴量から、前記境界位置検出部で検出された境界位置の信頼性を判定する信頼性判定部と、を備える。
上記構成によれば、操作者が未熟で超音波プローブの当て方が不適切な場合等に、血管の血流―内膜、中膜外膜境界の正しい位置を検出していない可能性を把握することが可能になるため、正確で信頼性のあるＩＭＴ値の測定が可能になる。上記構成において、信頼性判定の結果、信頼性が高い場合にのみＩＭＴ値を算出してもよいし、境界位置の信頼性判定結果にかかわらずＩＭＴ値を算出し、ＩＭＴ値算出結果の信頼性として判定してもよい。
【００１４】
また、本発明に係る超音波診断装置は、前記信頼性判定部の判定結果に基づく報知を行う報知手段を備える。
上記構成によれば、信頼性判定部で信頼性が低いと判断された場合に、その旨を報知することができるため、血管の血流―内膜、中膜外膜境界の正しい位置を検出していないことを操作者が容易に確認できる。
【００１５】
また、本発明に係る超音波診断装置は、前記超音波エコー信号の位相情報を処理し、位相情報処理結果のうち少なくとも一つを前記境界位置検出部へ送出する位相情報処理部と、前記超音波エコー信号の振幅情報を処理し、振幅情報処理結果のうち少なくとも一つを前記境界位置検出部へ送出する振幅情報処理部と、を備え、前記境界位置検出部が、前記位相情報処理結果のうち少なくとも一つと、前記振幅情報処理結果のうち少なくとも一つとから、前記複数のポイントにおける前記血管の前壁および後壁それぞれにおける、血流領域と内膜との境界位置、および、中膜と外膜との境界位置を検出するものである。
上記構成によれば、正確な境界位置の検出が可能になる。
【００１６】
また、本発明に係る超音波診断装置は、前記位相情報処理結果のうちの一つである生体組織の移動速度、および、前記振幅情報処理結果のうちの一つである超音波エコー信号の強度の少なくとも一方を用いて前記血管の血液が流れる血流領域を検出し、前記血管の体表面に近い前壁および体表面から遠い後壁のそれぞれについて、血流領域と内膜との境界位置、および、中膜と外膜との境界位置を検出するために必要な関心領域を設定する関心領域設定部を備える。
上記構成によれば、正確な境界位置の検出が可能になる。
【００１７】
また、本発明に係る超音波診断装置は、前記特徴量が、前記境界位置の平均値および標準偏差、または、平均値および分散であるものである。
上記構成によれば、検出した境界位置の信頼性を簡便に判定できる。
【００１８】
また、本発明に係る超音波診断装置は、前記特徴量が、前記境界位置を血管の長軸方向の関数とみなして推定された近似関数と前記境界位置との不一致度であるものである。
上記構成によれば、検出した境界位置の信頼性を簡便に判定できる。
【００１９】
また、本発明に係る超音波診断装置は、前記近似関数が、線形関数であるものである。
上記構成によれば、検出した境界位置の信頼性を簡便に判定できる。
【００２０】
また、本発明に係る超音波診断装置は、前記近似関数が、1次関数であるものである。
上記構成によれば、検出した境界位置の信頼性を簡便に判定できる。
【００２１】
また、本発明に係る超音波診断装置は、前記近似関数が、多項式関数であるものである。
上記構成によれば、検出した境界位置の信頼性をより正確に判定できる。
【００２２】
また、本発明に係る超音波診断装置は、前記近似関数を推定する際の近似方法が、線形最小２乗法である。
上記構成によれば、検出した境界位置の信頼性を簡便に判定できる。
【００２３】
また、本発明に係る超音波診断装置は、前記近似関数を推定する際の近似方法が、非線形最小２乗法であるものである。
上記構成によれば、検出した境界位置の信頼性をより正確に判定できる。
【００２４】
また、本発明に係る超音波診断装置は、前記近似関数が、非線形関数である。
上記構成によれば、検出した境界位置の信頼性をより正確に判定できる。
【００２５】
さらに、本発明に係る超音波診断装置は、前記近似関数を推定する際の近似方法が、非線形最小２乗法であるものである。
上記構成によれば、検出した境界位置の信頼性をより正確に判定できる。
【発明の効果】
【００２６】
本発明によれば、操作者が未熟で超音波プローブの当て方が不適切な場合等に、血管の血流―内膜、中膜外膜境界の正しい位置を検出していない可能性を把握することが可能になるため、正確で信頼性のあるＩＭＴ値の測定が可能になる。
【発明を実施するための最良の形態】
【００２７】
以下、本発明の実施の形態にかかる超音波診断装置を図面により説明する。
【００２８】
（実施の形態１）
図１は、本発明の第１の実施の形態にかかる超音波診断装置の概略構成を示すブロック図である。ただし、図１には、この超音波診断装置によって受信されたＢモード画像も図示されている。Ｂモード画像は、超音波パルスを血管に向かって発信したときの画像である。
【００２９】
Ｂモード画像において、３０は血管、３１は血管の前壁、３２は血管の後壁、３３は血流領域、３０１は前壁の外膜、３０２は前壁の内中膜、３０３は後壁の内中膜、３０４は後壁の外膜、３１０は前壁の中膜−外膜境界、３１１は前壁の血流−内膜境界、３１２は後壁の血流−内膜境界、３１３は後壁の中膜−外膜境界を示す。
【００３０】
送信部１は、超音波パルスを生成して超音波プローブ１０１へと供給する。ここでは、送信部１は、被検体の体表面から被検体の内部の血管の長軸方向に沿った複数のポイントに向けて超音波パルスを発信する。超音波プローブ１０１は、送信部１から供給された超音波パルスを生体の皮膚表面２０から生体内の血管３０に向かって発信する。血管３０は、血液が流れる血流領域３３を囲むように構成された血管壁を有しており、皮膚表面に近い側の前壁３１と遠い側の後壁３２とがある。血管壁の内側には、局所的病変であるアテローム３０６が形成されている。
【００３１】
血管３０によって反射された超音波パルスは、超音波プローブ１０１によって受信され、受信部２および遅延合成部３を経由して振幅情報処理部５ならびに位相情報処理部６へ供給される。振幅情報処理部５では超音波エコー信号の振幅情報から抽出される特徴量を少なくとも一つ、位相情報処理部６では超音波エコー信号の位相情報から抽出される特徴量を少なくとも一つ、それぞれ送出する。
【００３２】
関心領域設定部７では、振幅情報処理部５から送出された超音波エコー信号の振幅強度と位相情報処理部６から送出された生体組織の移動速度のうち少なくとも一方を用いて前記血管３０の血流領域３３を検出し、血管３０の前壁３１と後壁３２それぞれの血流−内膜境界位置３１１，３１２と、中膜−外膜境界位置３１０，３１３とを検出するために必要な関心領域を設定する。
【００３３】
境界位置検出部８では、関心領域設定部７から送出された前壁３１と後壁３２の関心領域ならびに振幅情報処理部５から送出された処理結果のうち少なくとも一つの処理結果ならびに位相情報処理部６から送出された処理結果のうち少なくとも一つの処理結果とに基づいて、前壁３１と後壁３２の血流−内膜境界位置３１１，３１ならびに中膜−外膜境界位置３１０，３１３を検出する。
【００３４】
IMT値算出部９は、血管３０の内膜と血流領域３３との間の境界位置の１心拍サイクルにおける時間的変化と、中膜の位置の時間的変化とに基づいて、内膜から中膜までの厚みIMT（Intima-Media Thickness）を計測する。IMT算出部９は、１心拍サイクルにおけるIMT値の最大値、最小値および平均値の少なくとも１つを算出する。
【００３５】
この場合、IMT値算出部９は、血管３０によって反射された超音波エコーを受信して得られた超音波エコー信号に基づいて、硬さ値変換によって変換された組織の硬さ値を利用して内膜と血流領域３３との間の境界位置を検出する場合の硬さ値の変化波形を生成し、硬さ値の変化波形の最大ピーク値を示す点と第２ピーク値を示す点との間の距離をIMT値として検出してもよい。
【００３６】
境界位置検出部８にて検出された前壁３１と後壁３２のそれぞれにおける、血流−内膜境界位置３１１，３１ならびに中膜−外膜境界位置３１０，３１３と、前記IMT値算出部９にて算出されたIMT値とは、画像合成部１０へ送出される。
【００３７】
B−モード処理部４では、遅延合成部３を経由して供給された超音波エコー信号に基づいて、血管３０の断面を表す画像情報を生成して画像合成部１０へ供給する。画像合成部１０は、Bモード処理部４から供給された画像情報と境界位置検出部８から供給された結果とを合成して表示部１１にモニタ表示する。
【００３８】
なお、モニタに表示されたＢモード画像と検出された境界位置に微妙なずれが生ずる場合があるため、境界位置検出部８において、検出された前壁３１と後壁３２の血流−内膜境界位置３１１，３１ならびに中膜−外膜境界位置３１０，３１３に、ある固定値をオフセット値８０２として加算もしくは減算してもよい。
【００３９】
本実施例における超音波診断装置では、オフセット設定８０２を境界位置抽出部８に対して行う構成としたが、本発明はそれを限定するものではない。操作者が視覚的に判断する場合と極めて近い境界がモニタに表示されるような構成であれば良い。又、画像合成部１０において必要に応じてＩＭＴ値算出部９で算出されたＩＭＴ値を表示できるようになっているが、本発明はそれを限定するものではない。
【００４０】
信頼性判定部１２では、境界位置検出部８において検出された境界位置の、血管３０の長軸方向の特徴量から、前記境界位置の信頼性を判定する。以下では、その信頼性判定方法の具体的な内容について説明する。なお、以下の説明では、血管３０の後壁３２について述べるが、血管３０の前壁３１に関しても同様の手順で信頼性を判定可能であることは明白であるので説明は省略する。
【００４１】
図２は、音響走査線Ｈに沿って、皮膚表面からの深度Ｈとほぼ垂直に位置する、血管の後壁の血流−内膜境界位置ならびに中膜−外膜境界位置を、境界位置検出部８において検出した結果の模式図であり、ある音響走査線Ｈに沿った血流−内膜境界位置をB0(H)、中膜−外膜境界位置をB1(H)としてある。
【００４２】
B0(H)とB1(H)の平均値をそれぞれMB0、MB1とし、それらの標準偏差をそれぞれSDB0、SDB1とすると、それぞれの境界位置の分布はMB0±SDB0、MB1±SDB1となる。通常、血流と内膜の境界はそれほど複雑な構造をしていないため、境界位置の分布はそれほど広がりをもたない。
【００４３】
そこで、本実施の形態における信頼性判定部１２では、血流−内膜境界位置B0(H)の標準偏差SDB0と中膜−内膜境界位置B1(H)の標準偏差SDB1のいずれかが、あらかじめ設定された信頼性閾値１２１を超える場合、その測定の境界位置は信頼性が低いと判断し、この信頼性判定結果を画像合成部１０に伝え、表示部１１において境界位置をモニタ表示しないという処置をする。なお、ここでは、信頼性判定部１２が、境界位置の平均値と標準偏差とから信頼性を判定する例を示したが、境界位置の平均値と分散とを用いて信頼性を判定してもよい。
【００４４】
なお、上述の説明では、境界位置の信頼性が低い場合、それを画像合成部１０に伝え、表示部１１において境界位置を表示モニタ表示しない構成にしてあるが、本発明はこれを限定するものではない。例えば、表示部１１において、検出した境界位置の信頼性が低い旨を文字で表示するなど、その測定で得られた境界位置の信頼性が低いか高いかを操作者が判断できる構成であればどのような構成でも良い。
また、信頼性判定部１２の信頼性判定の結果、信頼性が高い場合にのみＩＭＴ値算出部９がＩＭＴ値を算出する構成としてもよいし、信頼性判定部１２の判定結果にかかわらずＩＭＴ値算出部９がＩＭＴ値を算出し、ＩＭＴ値算出結果の信頼性を操作者が把握できるようなモニタ表示等の報知を行ってもよい。
【００４５】
また、上述の信頼性閾値１２１の値は、通常の血管の構造を考慮した適切な値をあらかじめ設定しておけば良い。
【００４６】
このように本実施形態によれば、操作者が未熟で超音波プローブの当て方が不適切な場合等において、血管の血流―内膜境界、中膜外膜境界の正しい位置を検出していないことを操作者に確実に伝えることができる。したがって、血管の前壁および後壁において、正確で信頼性のあるＩＭＴ値を測定可能な超音波診断装置を提供することができる。
【００４７】
（実施の形態２）
以下、本発明の第２の実施の形態について図面を用いて説明する。本発明の第２の実施の形態の概略構成を示すブロック図は図１と同一であり、実施の形態１と同じ構成要素については同じ符号用い、説明を省略する。
【００４８】
又、前記関心領域の設定方法や血管３０の前壁３１および後壁３２の血流−内膜境界位置３１１，３１２ならびに中膜−外膜境界位置３１０，３１３の検出方法等については、実施の形態１と同様であるので、説明を省略する。
【００４９】
本実施の形態が、実施の形態１と異なる点は、境界位置検出部８において検出された境界位置の血管３０の長軸方向の特徴量から、前記境界位置またはIMT値算出部９において算出されたIMT値の信頼性を判定する方法が異なるということである。以下では、その信頼性判定方法の具体的な内容について説明する。
【００５０】
なお、以下の説明では、血管３０の後壁３２について述べるが、血管３０の前壁３１に関しても同様の手順で信頼性を判定可能であることは明白であるので説明は省略する。
【００５１】
図３はその模式図を示したものであり、第１の実施の形態と同様、血管３０の後壁３２の血流−内膜境界位置ならびに中膜−外膜境界位置を境界位置検出部８において検出した結果の模式図であり、ある音響走査線Ｈ上の血流−内膜境界位置をB0(H)、中膜−外膜境界位置をB1(H)としてある。
【００５２】
ここで、図３のように血管３０が音響走査線Ｈに垂直な方向に平行に位置せず、傾いて存在する場合や図１のように内膜にアテローム３０６のような病変が存在し、血流−内膜境界位置が蛇行しているような場合に、第１の実施の形態で述べたような判定方法を用いると、正確な境界位置が検出されているにも関わらず、境界位置の分布に広がりが生じ、その標準偏差が大きくなるため、信頼性が低いと判定されてしまう場合がある。そこで、本実施の形態においては、以下の手順によって信頼性を判定する。
【００５３】
B0(H)の音響走査線Ｈに垂直な方向、つまり、深度Ｈ方向へある傾きを持った直線とみなし、その近似直線L0(H)=a0H+b0 を線形回帰によって推定する。同様に、B1(H)の深度Ｈ方向へある傾きを持った直線とみなし、その近似直線L1(H)=a1H+b1を線形回帰によって推定する。
【００５４】
この場合、次式で定義されるB0(H)とL0(H)との一致度X0ならびにB1(H)とL1(H)との一致度X1を算出する。
X0 = Σ| B0(H) Σ L0(H)|2・・・（１）
X1 = Σ| B1(H) Σ L1(H)|2・・・（２）
そして、X0もしくはX1の値があらかじめ設定された信頼性閾値１２１を超える場合、その測定結果は信頼性が低いとみなす。
【００５５】
なお、上述の説明では、境界位置を音響走査線に垂直な方向に対してある傾きを持った直線とみなし、線形回帰によってその近似直線を推定しているが、本発明はこれを制限するものではなく、例えば、境界位置を多項式や非線形関数で近似するなどしても良い。また、本発明は、近似直線や近似曲線などの推定方法を線形回帰に限定するものではなく、非線形最小2乗法など、どのような近似方法を用いても良い。
【００５６】
このように本実施形態によれば、血管の形状等により、血管の血流―内膜または中膜外膜境界の正しい位置を検出していないことを操作者に確実に伝えることができる。したがって、血管の前壁および後壁において正確で信頼性のあるＩＭＴ値を測定可能な超音波診断装置を提供することができる。
【産業上の利用可能性】
【００５７】
本発明は、操作者が未熟で超音波プローブの当て方が不適切な場合等に、血管の血流―内膜、中膜外膜境界の正しい位置を検出していない可能性を把握することが可能になるため、正確で信頼性のあるＩＭＴ値の測定が可能になる効果を有し、医用分野における超音波エコーを利用した血管性状の画像表示や診断などに有用である。
【図面の簡単な説明】
【００５８】
【図１】本発明の実施の形態における概略構成を示すブロック図
【図２】本発明の実施の形態１における信頼性判定部の動作例を説明するための模式図
【図３】本発明の実施の形態２における信頼性判定部の動作例を説明するための模式図
【符号の説明】
【００５９】
１  送信部
２  受信部
３  遅延合成部
４  Ｂモード処理部
５  振幅情報処理部
６  位相情報処理部
７  関心領域設定部
８  境界位置検出部
９  ＩＭＴ値算出部
１０  画像合成部
１１  表示部
１２  信頼性判定部
２０  被験体の皮膚表面
３０  血管
３１  血管の前壁
３２  血管の後壁
３３  血流領域
５１，５２  振幅情報処理結果
６１，６２  位相情報処理結果
１０１  プローブ
３０１  前壁の外膜
３０２  前壁の内中膜
３０３  後壁の内中膜
３０４  後壁の外膜
３１０  前壁の中膜−外膜境界
３１１  前壁の血流−内膜境界
３１２  後壁の血流−内膜境界
３１３  後壁の中膜−外膜境界
８０１  閾値
８０２  オフセット
【図１】
0004799276.tif 000002
【図２】
0004799276.tif 000003
【図３】
0004799276.tif 000004